(57)【特許請求の範囲】
【請求項１】
原水の入口部と、水処理器に対する原水の供給口と、水処理された生成水の戻り口と、生成水を吐出する吐出部とを備えた吐水用部材であって、
上記原水の入口部と連通する入口ハウジングと、上記原水の供給口を備えた供給口ハウジングと、上記生成水の戻り口を備えた戻り口ハウジングとを設け、
混合水栓の分岐口アタッチメントに固定される入口ハウジングに対して供給口ハウジングおよび戻り口ハウジングを回動可能に構成した
吐水用部材。
【発明の詳細な説明】
【技術分野】
【０００１】
この発明は、アルカリイオン整水器や浄水器などの水処理器に原水を供給し、水処理器で生成された生成水を吐出部から流出して使用に供するような吐水用部材に関する。
【背景技術】
【０００２】
従来、水処理器の接続の一例としてアルカリイオン整水器を使用する場合には、図９に示すように、スパウト９１、操作レバー９２を備えたシングルレバー式の混合水栓９３を設け、この混合水栓９３の栓本体９４に対して分岐アダプタ９５およびホース９６を介してアルカリイオン整水器９７を接続し、このアルカリイオン整水器９７で生成されたイオン水（生成水）を吐水パイプ９８から吐出して使用に供するように構成されている。
【０００３】
図９に示す従来構造においては、吐水パイプ９８の寸法範囲内にしかアルカリイオン整水器９７を設置することができず、このアルカリイオン整水器９７の設置場所が制約を受けて、設置場所の自由度が低下する問題点があった。また吐出パイプ９８を長くすると、見栄えが悪化する問題点があった。
【０００４】
一方、アルカリイオン整水器９７に吐水パイプが付いていない機種の場合には、図１０に示すように、分岐口１００と帰着口１０１とを有する特別かつ専用のアダプタ１０２を設け、このアダプタ１０２の軸方向の端部に設けられた操作レバー１０３を回動操作して、原水をそのままスパウト１０４から吐出する態様と、原水を分岐口１００から矢印ｘ方向に分岐流出してアルカリイオン整水器に供給し、このアルカリイオン整水器で生成されたイオン水を矢印ｙ方向に還流させて、帰着口１０１からアダプタ１０２内部を介してスパウト１０４から吐出する態様とを選択して、原水またはイオン水を使用に供するように構成されている。
【０００５】
この図１０に示す従来構造においては、アルカリイオン整水器の設置場所の自由度向上を図ることができる利点がある反面、特別かつ専用のアダプタ１０２を要することは勿論、該アダプタ１０２の内部構造が複雑な関係上、コストアップを招く問題点があった。
【０００６】
一方、特許文献１には蛇口固定部を備えたケース内部に弁本体を設け、この弁本体の軸方向の端部に操作レバーを取付けて、該操作レバーの操作により蛇口からの原水をスパウトに連通する原水出口に接続したり、または弁本体に接続可能に設けられた分岐口に接続し、分岐口にはアルカリイオン整水器などの水処理器を取付け、この水処理器で生成された生成水を帰着口に還流すべく構成した水処理器用分岐栓が開示されている。
【０００７】
この水処理器用分岐栓はスパウトの先端に取付けられるもので、水処理器に対するホース等の通路長が長くなり、見栄えが大幅に悪化する問題点があり、一般的な水栓の使用時にも上記ホース等が邪魔になる問題点があった。
【０００８】
【特許文献１】特開２０００−２８０１９号公報
【発明の開示】
【発明が解決しようとする課題】
【０００９】
そこで、この発明は、複雑な構造のアダプタが不要で、かつ水処理器の設置場所の自由度の向上を図ることができ、また既設の混合水栓に簡単に取付けることができるうえ、水処理器に対するホースやパイプ等の配管の取り回しの自由度が向上する吐水用部材の提供を目的とする。
【課題を解決するための手段】
【００１０】
この発明による吐水用部材は、原水の入口部と、水処理器に対する原水の供給口と、水処理された生成水の戻り口と、生成水を吐出する吐出部とを備えた吐水用部材であって、上記原水の入口部と連通する入口ハウジングと、上記原水の供給口を備えた供給口ハウジングと、上記生成水の戻り口を備えた戻り口ハウジングとを設け、混合水栓の分岐口アタッチメントに固定される入口ハウジングに対して供給口ハウジングおよび戻り口ハウジングを回動可能に構成したものである。
【００１１】
上記構成によれば、吐水用部材の入口部に流入した原水は、供給口から水処理器に供給され、この水処理器にて水処理された生成水は戻り口（生成水入口）から流入した後に、吐出部から流出されて、使用に供することができる。
【００１２】
また、上述の原水の入口部を混合水栓の分岐口アタッチメントに取付けるので、複雑な構造のアダプタが一切不要で、かつ水処理器の設置場所の自由度の向上を図ることができると共に、既設の混合水栓に簡単に取り付けることができ、特に混合水栓の分岐口アタッチメントは各種構造のものが存在するので、汎用性の拡大を図ることができる。  
さらに、吐水用部材を混合水栓の分岐口アタッチメントに取付けるとよいので、その取付け工事も極めて簡単である。
【００１３】
しかも、上記入口ハウジングは分岐口アタッチメントに固定されて回動不可となるが、この入口ハウジングに対して供給口ハウジングおよび戻り口ハウジングが水平方向に回動自在となるので、混合水栓と水処理器との相対的な位置関係において、水処理器に対するホースやパイプ等の配管の取り回しの自由度が向上する。
【発明の効果】
【００１４】
この発明によれば、混合水栓と水処理器との相対的な位置関係において、水処理器に対するホースやパイプ等の配管の取り回しの自由度が向上する効果がある。
【発明を実施するための最良の形態】
【００１５】
水処理器に対するホースやパイプ等の配管の取り回しの自由度を向上するという目的を、原水の入口部と、水処理器に対する原水の供給口と、水処理された生成水の戻り口と、生成水を吐出する吐出部とを備えたものにおいて、原水の入口部と連通する入口ハウジングと、原水の供給口を備えた供給口ハウジングと、生成水の戻り口を備えた戻り口ハウジングとを設け、混合水栓の分岐口アタッチメントに固定される入口ハウジングに対して供給口ハウジングおよび戻り口ハウジングを回動可能に構成するという構造にて実現した。
【実施例】
【００１６】
この発明の一実施例を以下図面に基づいて詳述する。  
図１は吐水用部材３０をシングルレバー式の混合水栓１に取付けた状態で示す全体図である。  
【００１７】
上述の混合水栓１は、混合栓本体２と、カートリッジ３との間に分岐口アタッチメント４を介設し、上述のカートリッジ３はその上部に作動部を有すると共に、このカートリッジ３はカバーナット５により分岐口アタッチメント４の上部に締付け固定されている。
【００１８】
また、カートリッジ３上部の作動部は操作レバー６（いわゆるレバーハンドル）にて操作されるように構成する一方、混合栓本体２の外周にはスパウト７の基部７ａが回動自在に装着されている。
【００１９】
上述の混合栓本体２は水道管に連通する水道水通路と、ボイラ等に連通する熱湯通路とを有し、水または熱湯は図１に矢印ａで示すように分岐口アタッチメント４を介して上方へ流動し、操作レバー６にてカートリッジ３上部の作動部を操作した時、水道水をそのまま、または熱湯をそのまま、あるいは水道水と熱湯とを混合した温調流体を流出液体（混合流体）として図１に矢印ｂで示すように一旦、混合栓本体２内に流下させた後に、矢印ｃで示すようにスパウト７から供給し得るように構成している。
【００２０】
図２は図１で示した分岐口アタッチメント４の断面図であって、この分岐口アタッチメント４は外筒８（いわゆるハブ）と、この外筒８に内設される分岐栓本体９と、分岐口１０にネジ部材１１を介して回転自在に取付けられた袋ナット構造のジョイント１２と、分岐口アタッチメント４を図１の混合栓本体２に固定するための取付けナット１３とを備えている。
【００２１】
ここで、上述の外筒８の上部外周にはカバーナット５を締付けるためのネジ部１４が形成される一方、分岐栓本体９にはその軸芯線方向に水道水流入孔１５と、熱湯流入孔１６と、湯水流出孔（図示せず）とが貫通形成されている。  
また上述の各流入孔１５，１６と分岐口１０とを連通する横孔１７，１８を設け、一方の横孔１８をプラグ１９で閉塞している。
【００２２】
そして、水道水などの原水を矢印ｄ，ｅで示すように、水道水流入孔１５、横孔１７、分岐口１０、ネジ部材１１の内部通路２０を介して分岐口アタッチメント４の外部に分岐流出すべく構成している。
【００２３】
この実施例の吐水用部材３０は図１に示すように分岐コック（開閉弁）２１と、内部通路を有する分岐コック２１の上流側のネジ部２２を介して上述のジョイント１２に取付けたものである。
【００２４】
図３は吐水用部材３０の外観図、図４はその断面図であって、原水Ｗの入口部３２と連通する円筒形状の入口ハウジング７７と、原水Ｗの供給口３３を備えた供給口ハウジング７８と、生成水の戻り口３４と、生成水を吐出する吐出部としての吐出口３５とを備えた戻り口ハウジング７９とを設け、ネジ部材３７および接続部材３８を介して図１で示した分岐口アタッチメント４に固定される入口ハウジング７７に対して供給口ハウジング７８および戻り口ハウジング７９を回動可能に構成したものである。
【００２５】
この実施例では、供給口ハウジング７８を、その上側が小径で下側が大径となる二段軸構造に形成し、この供給口ハウジング７８の小径部外周の下側に上述の入口ハウジング７７を相対回転可能に装着すると共に、供給口ハウジング７８の小径部外周の上側には上述の戻り口ハウジング７９を嵌着し、この戻り口ハウジング７９の上下方向中間位置において該ハウジング７９の径方向内方に一体形成した取付け座８０において、取付けビス８１などの取付け部材を用いて上側の戻り口ハウジング７９を下側の供給口ハウジング７８の小径部に固定し、入口ハウジング７７を分岐口アタッチメント４に固定した時、供給口ハウジング７８と戻り口ハウジング７９とが一体的に水平方向に回動可能となるように構成している。
【００２６】
また供給口ハウジング７８の入口部３２と対応する部分には輪溝８２を形成し、この輪溝８２と対応するように入口ハウジング７７の内周には軸溝８３を形成すると共に、ネジ部材３７の内部通路３６と一致する入口ハウジング７７にはインレットポート８４を形成している。
【００２７】
さらに供給口ハウジング７８の軸芯部には入口部３２と供給口３３とを上下方向に連通する連通路８５を形成する一方、供給口３３および戻り口３４に連通接続させたアウトレット部材３９およびインレット部材４０をそれぞれフレアジョイントにて構成し、これらのフレアジョイントにそれぞれ締付け固定するフレアナット８６ＯＵＴ，８６ＩＮにてアルカリイオン整水器などの水処理器に対するホースやパイプなどの配管８９ＯＵＴ，８９ＩＮを取付けるように構成している。  
なお、図中、３９ａ，４０ａは各部材３９，４０の内部通路であり、３９ｂ，４０ｂは各部材３９，４０の接続ネジ部である。
【００２８】
一方、戻り口ハウジング７９の上端外周にはスパウト４３の基部を取付けるネジ部８７が形成されており、このネジ部８７に締付けるナット８８を用いてスパウト４３の基部を戻り口ハウジング７９に取付け固定している。ここで、上述のナット８８およびフレアナット８６ＯＵＴ，８６ＩＮの外周には、図３に示すように、これらの回動操作性を考慮してローレット加工が施されている。また、スパウト４３の下端外周にはシール部材４４が介設されている。
【００２９】
また上述のスパウト４３の中間部４３ａは図３に示すようにフレキシブル構造に構成されていて、既設のスパウト（図１で示したスパウト７参照）と干渉しないように、その向きを任意に可変調整することができるように構成されている。さらにアウトレット部材３９の供給口３３側には水処理器への流量を一定にする定量弁４５を介設して、流出量の定量化を図っているが、この定量弁４５はネジ部材３７に内設してもよい。
【００３０】
この定量弁４５は図５に拡大断面図で示すように、内部ハウジング４６と外部ハウジング４７とが一体化された弁ハウジングと、この弁ハウジングの中央に開口された通路４８と、内外の両ハウジング４６，４７間に形成された複数の通路４９と、両ハウジング４６，４７間に介設されたＯリング５０とを有し、流量に対応してＯリング５０で通路４９の原水通過面積をコントロールすることにより、定量弁４５の下流側（図５の左側）に一定量を確保するものである。
【００３１】
図４において入口ハウジング７７のインレットポート８４から各輪溝８３，８２を介して供給口ハウジング７８の入口部３２に流入した原水Ｗは、各要素８５，３３，３９ａを介して水処理器に供給され、水処理器で生成された生成水はインレット部材４０の内部通路４０ａから戻り口ハウジング７９の戻り口３４に還流された後に、吐出口３５およびスパウト４３を介して流出される。
【００３２】
このように、図１〜図５で示した実施例の吐水用部材３０は、原水の入口部３２と、水処理器に対する原水の供給口３３と、水処理された生成水の戻り口３４と、生成水を吐出する吐出口３５とを備えたものであって、上記原水Ｗの入口部３２と連通する入口ハウジング７７と、原水Ｗの供給口３３を備えた供給口ハウジング７８と、生成水の戻り口３４を備えた戻り口ハウジング７９とを設け、混合水栓１の分岐口アタッチメント４に固定される入口ハウジング７７に対して供給口ハウジング７８および戻り口ハウジング７９を回動可能に構成したものである。
【００３３】
この構成によれば、入口ハウジング７７は分岐口アタッチメント４に固定されて回動不可となるが、この入口ハウジング７７に対して供給口ハウジング７８および戻り口ハウジング７９が水平方向に回動自在となるので、混合水栓１と水処理器との相対的な位置関係において、水処理器に対するホースやパイプ等の配管８９ＯＵＴ，８９INの取り回しの自由度が向上する。
【００３４】
また、図１〜図５で示した実施例の吐水用部材３０は、原水Ｗの入口部３２と、水処理器に対する原水Ｗの供給口３３と、水処理された生成水の戻り口３４と、生成水を吐出する吐出部（吐出口３５参照）とを備え、上記原水Ｗの入口部３２を混合水栓１の分岐口アタッチメント４に取付けたものであるから、複雑な構造のアダプタが一切不要で、かつ水処理器の設置場所の自由度の向上を図ることができると共に、既設の混合水栓１に簡単に取り付けることができ、特に混合水栓１の分岐口アタッチメント４は各種構造のものが存在するので、この吐水用部材３０の汎用性の拡大を図ることができる。  
さらに、吐水用部材３０を混合水栓１の分岐口アタッチメント４に取付けるとよいので、その取付け工事も極めて簡単となる。
【００３５】
図６は吐水用部材３０の他の構造を示すものである。この構成においては、原水の入口部３２と、水処理器に対する原水の供給口３３と、水処理された生成水の戻り口３４と、生成水を吐出する吐出口３５とを備えた部材本体３１を設け、この部材本体３１の入口部３２側にスリーブ６４を介して上述のネジ部材３７および袋ナット構造の接続部材３８を取付け、この接続部材３８に、下流側のネジ部２３をもったディスクジョイント６２を介して、分岐コック２１を取付けている。
【００３６】
この分岐コック２１は図６，図７（但し、図７は図６の要部の断面図）に示すように、ハンドル部５９の径方向内方への突部６０，６０にて回動される可動側のセラミックディスク６１には２つの通路６１ａ，６１ａが形成されており、一方、弁ハウジング５５に固定ピン５７で固定された固定側のセラミックディスク５８にも同一構造の通路５８ａ，５８ａ（図６参照）が形成され、ハンドル部５９の回動操作により上下の各セラミックディスク５８，６１の通路５８ａ，６１ａの重合面積を可変調整することで、開閉弁５３を全閉から全開までの範囲に任意に開閉して、分岐流水の流量をコントロールすべく構成したものである。  
なお、図７において５５ａは弁ハウジング５５に設けられたハンドル部５９操作用の切欠き部である。
【００３７】
図６、図７の構造においては入口部３２に連通可能な内部通路２２ａを有する分岐コック２１の上流側のネジ部２２を図１、図２で示したジョイント１２を介して分岐口アタッチメント４の分岐口１０に連通接続させている。
【００３８】
また、この構造においては部材本体３１内の供給口３３と戻り口３４とを上下方向に連通する連通路６５を設け、この連通路６５には、原水Ｗの圧力で閉弁して、供給口３３と戻り口３４との間を遮断し、原水Ｗの流入停止時（分岐コック２１の全閉時）に吐出部（吐出口３５およびスパウト４３参照）に残溜する微少な水圧にて開弁し、供給口３３と戻り口３４との間を連通させる逆止弁６６を設けている。
【００３９】
この逆止弁６６は図８に拡大断面図で示すように、円筒状の弁ハウジング６７と、この弁ハウジング６７の下端部内周に固定されたスプリングリテーナ６８と、このスプリングリテーナ６８の中央側のガイド部６８ａに摺動案内されるロッド６９をもった弁体７０とを備えている。
【００４０】
上述のスプリングリテーナ６８には、その中央側のガイド部６８ａの外周に原水Ｗの流入を許容する開口部７１，７１を形成する一方、弁体７０の下部とスプリングリテーナ６８の上部との間にはコイルスプリング形状のバルブスプリング７２を介設している。
【００４１】
また弁体７０の上部外周には環状凹部７３を形成し、この環状凹部７３にＯリング７４を嵌着する一方、弁ハウジング６７の対応部には該Ｏリング７４を当接する弁座７５が形成されている。  
さらに弁体７０の下部外周には、該弁体７０の上下動を安定化させるための複数の舌片７６，７６が弁体７０に一体形成されている。
【００４２】
図８は逆止弁６６の閉鎖状態（全閉状態）を示し、図８に矢印ｇで示すように開口部７１から原水Ｗが弁ハウジング６７内に流入する原水供給時には、バルブスプリング７２のバネ力と原水圧力とでＯリング７４が弁座７５に当接して閉弁状態になるように弁体７０が付勢され、原水Ｗの流入停止時においては、この逆止弁６６の配設部位より上側の通路（吐出口３５、スパウト４３、戻り口３４、内部通路４０ａ参照）に残溜する微少の水圧（図８の矢印ｈ参照）によりバルブスプリング７２のバネ力に抗して弁体７０が下方に押し下げられて、逆止弁６６が開弁状態となって、上側に残溜する水と、水道水などの塩素が含有されて殺菌力を有する原水Ｗとが混ざり合うように構成されている。
【００４３】
なお、図６において上述の吐出口３５にはスパウト固定ネジ４１およびＣリング構造の固定リング４２を介してスパウト４３が回動可能に取付けられると共に、スパウト４３の下端外周とスパウト固定ネジ４１の下部との間にはＯリングなどのシール部材４４が介設されている。
【００４４】
なお、図６において前図と同一の部分には同一符号を付して、その詳しい説明を省略している。  
ここで、上記吐水用部材３０の全体は一般的な黄銅に代えて、プラスチックまたは強化樹脂で形成し、吐水用部材３０の軽量化を図ってもよい。
【００４５】
この発明の構成と、上述の実施例との対応において、
この発明の生成水を吐出する吐出部は、実施例の吐出口３５に対応するも、
この発明は、上述の実施例の構成のみ限定されるものではない。
【図面の簡単な説明】
【００４６】
【図１】本発明の吐水用部材をシングルレバー式の混合水栓に取付けた状態で示す概略図
【図２】分岐口アタッチメントの内部構造の一例を示す断面図
【図３】吐水用部材の外観図
【図４】吐水用部材の断面図
【図５】定量弁を示す拡大断面図
【図６】吐水用部材の他の構造を示す断面図
【図７】分岐コックの断面図
【図８】逆止弁を示す拡大断面図
【図９】従来の水処理器に対する接続構造を示す斜視図
【図１０】従来のアダプタを示す斜視図
【符号の説明】
【００４７】
１…混合水栓
４…分岐口アタッチメント
３１…部材本体
３２…入口部
３３…供給口
３４…戻り口
３５…吐出口（吐出部）
７７…入口ハウジング
７８…供給口ハウジング
７９…戻り口ハウジング
【要約】
【課題】
複雑な構造のアダプタが不要で、かつ水処理器の設置場所の自由度の向上を図ることができ、しかも既設の混合水栓に簡単に取付けることができる吐出用部材の提供を目的とする。
【解決手段】
原水Ｗの入口部３２と、水処理器に対する原水の供給口３３と、水処理された生成水の戻り口３４と、生成水を吐出する吐出部３５とを備え、上記原水Ｗの入口部３２を混合水栓の分岐口アタッチメントに取付けたことを特徴とする。
【選択図】  図３
【図１】
0003727328.tif 000002
【図２】
0003727328.tif 000003
【図３】
0003727328.tif 000004
【図４】
0003727328.tif 000005
【図５】
0003727328.tif 000006
【図６】
0003727328.tif 000007
【図７】
0003727328.tif 000008
【図８】
0003727328.tif 000009
【図９】
0003727328.tif 000010
【図１０】
0003727328.tif 000011